(57)【特許請求の範囲】
【請求項１】
遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と、前記閉鎖位置のときよりも遊技球が進入しやすい開放位置とで変位する構成をなし、前記前後方向にスライド移動する開閉部材と、
通電可能に構成されたコイル部と、このコイル部の通電状態に応じて前記コイル部内に引き込まれた没入位置とこの没入位置のときよりも前記コイル部から突出する突出位置との間で直線的に移動するプランジャとを備え、前記プランジャが前記前後方向及び上下方向と直交する左右方向に往復移動するように配置され、駆動力を生じさせる駆動源と、
前記筐体内における前記開閉部材の上方又は下方若しくは側方の位置において前記上下方向に沿った回動軸線回りに回動可能に保持され、且つ前記開閉部材と連動するように配置される第１伝達部材と、前記筐体内において前記上下方向に沿った中心軸回りに回動可能に又は前記左右方向に沿ってスライド可能に保持され、前記駆動源の駆動力を受けて動作すると共にその駆動力を前記第１伝達部材に伝達する第２伝達部材と、を備えた伝達機構と、
を有し、
前記伝達機構は、
前記第２伝達部材が前記駆動源の駆動力を受けて動作するときに、前記第１伝達部材及び前記開閉部材の連係動作が許容されて前記開閉部材が開閉する一方、
前記開閉部材が前記閉鎖位置にある状態で当該開閉部材を前記開放位置に変位させようとする外力が加えられた場合に、互いに連係する前記開閉部材、前記第１伝達部材、及び前記第２伝達部材のいずれかの部材の水平方向に沿った動作が、そのいずれかの部材の水平方向に隣接する他の部材によって規制されることで前記開閉部材の開放が阻止される構成であり、
前記第１伝達部材は、前記回動軸線を中心とする半径方向に延出すると共に前記開閉部材に作用する作用部が先端部に形成された第１延長部と、前記回動軸線を中心する半径方向であって前記第１延長部とは異なる方向に延出すると共に前記第２伝達部材からの作用を受ける被作用部が先端部に形成された第２延長部とを備え、
前記第２伝達部材は、前記第１伝達部材を押圧可能な押圧作用部と、前記押圧作用部の一部として形成され、前記開閉部材が前記閉鎖位置にある状態で前記第１伝達部材の移動経路上に配置されると共に前記第１伝達部材の移動を規制可能な規制部とを有し、
前記開閉部材が前記閉鎖位置にある状態で前記プランジャが駆動するときには、前記規制部が前記第１伝達部材の移動経路上から退避しつつ前記押圧作用部が前記第１伝達部材を押圧することで、前記規制部が前記第１伝達部材の移動を規制せずに前記第１伝達部材が回動し、その回動動作に連係して前記開閉部材が前記開放位置へ移動し、
前記開閉部材が前記閉鎖位置にある状態で当該開閉部材を前記開放位置に変位させようとする外力が加えられた場合には、前記開閉部材が前記第１延長部の前記作用部を後方側に押す作用に応じて前記第２延長部の前記被作用部に前方側への押圧力が生じ、当該開閉部材と連動する前記第１伝達部材の前記被作用部の移動経路上に前記規制部が位置することで前記第１伝達部材の回動動作及び前記開閉部材の変位が規制され、前記開閉部材の開放が阻止されることを特徴とする遊技機用可変入賞装置。
【請求項２】
遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と、前記閉鎖位置のときよりも遊技球が進入しやすい開放位置とで変位する構成をなし、前記前後方向にスライド移動する開閉部材と、
通電可能に構成されたコイル部と、このコイル部の通電状態に応じて前記コイル部内に引き込まれた没入位置とこの没入位置のときよりも前記コイル部から突出する突出位置との間で直線的に移動するプランジャとを備え、前記プランジャが前記前後方向及び上下方向と直交する左右方向に往復移動するように配置され、駆動力を生じさせる駆動源と、
前記筐体内における前記開閉部材の上方又は下方若しくは側方の位置において前記上下方向に沿った回動軸線回りに回動可能に保持され、且つ前記開閉部材と連動するように配置される第１伝達部材と、前記筐体内において前記上下方向に沿った中心軸回りに回動可能に又は前記左右方向に沿ってスライド可能に保持され、前記駆動源の駆動力を受けて動作すると共にその駆動力を前記第１伝達部材に伝達する第２伝達部材と、を備えた伝達機構と、
を有し、
前記伝達機構は、
前記第２伝達部材が前記駆動源の駆動力を受けて動作するときに、前記第１伝達部材及び前記開閉部材の連係動作が許容されて前記開閉部材が開閉する一方、
前記開閉部材が前記閉鎖位置にある状態で当該開閉部材を前記開放位置に変位させようとする外力が加えられた場合に、互いに連係する前記開閉部材、前記第１伝達部材、及び前記第２伝達部材のいずれかの部材の水平方向に沿った動作が、そのいずれかの部材の水平方向に隣接する他の部材によって規制されることで前記開閉部材の開放が阻止される構成であり、
前記第１伝達部材は、前記回動軸線を中心とする半径方向に延出すると共に前記開閉部材に作用する作用部が先端部に形成された第１延長部と、前記回動軸線を中心する半径方向であって前記第１延長部とは異なる方向に延出すると共に前記第２伝達部材からの作用を受ける被作用部が先端部に形成された第２延長部とを備え、
前記第２伝達部材は、前記筐体内において前記上下方向に沿った中心軸回りに回動可能に保持され、前記プランジャの駆動の際に当該プランジャから押圧力を受ける被押圧部を有し、
前記プランジャは、前記開閉部材が前記閉鎖位置にある状態で前記第２伝達部材の移動経路上に配置され、当該第２伝達部材の移動を規制可能な規制部を有し、
前記開閉部材が前記閉鎖位置にある状態で前記プランジャが駆動するときには、前記プランジャが前記第２伝達部材の移動経路上から退避しつつ前記被押圧部を押圧することで、前記第２伝達部材が前記規制部に当接せずに移動すると共に回動し、その回動に連係して前記開閉部材が前記開放位置へ移動し、
前記開閉部材が前記閉鎖位置にある状態で当該開閉部材を前記開放位置に変位させようとする外力が加えられたときには、前記開閉部材が前記第１延長部の前記作用部を後方側に押す作用に応じて前記第２延長部の前記被作用部に前方側への押圧力が生じ、前記開閉部材及び前記第１伝達部材と連係しようとする前記第２伝達部材の一部が前記左右方向と交差する方向に向かうと共に前記突出位置にある前記プランジャの前記規制部と当接することで前記第２伝達部材の回動動作及び前記開閉部材の連係動作が規制され、前記開閉部材の開放が阻止されることを特徴とする遊技機用可変入賞装置。
【請求項３】
遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と、前記閉鎖位置のときよりも遊技球が進入しやすい開放位置とで変位する構成をなし、前記前後方向にスライド移動する開閉部材と、
通電可能に構成されたコイル部と、このコイル部の通電状態に応じて前記コイル部内に引き込まれた没入位置とこの没入位置のときよりも前記コイル部から突出する突出位置との間で直線的に移動するプランジャとを備え、前記プランジャが前記前後方向及び上下方向と直交する左右方向に往復移動するように配置され、駆動力を生じさせる駆動源と、
前記筐体内における前記開閉部材の上方又は下方若しくは側方の位置において前記上下方向に沿った回動軸線回りに回動可能に保持され、且つ前記開閉部材と連動するように配置される第１伝達部材と、前記筐体内において前記上下方向に沿った中心軸回りに回動可能に又は前記左右方向に沿ってスライド可能に保持され、前記駆動源の駆動力を受けて動作すると共にその駆動力を前記第１伝達部材に伝達する第２伝達部材と、を備えた伝達機構と、
を有し、
前記伝達機構は、
前記第２伝達部材が前記駆動源の駆動力を受けて動作するときに、前記第１伝達部材及び前記開閉部材の連係動作が許容されて前記開閉部材が開閉する一方、
前記開閉部材が前記閉鎖位置にある状態で当該開閉部材を前記開放位置に変位させようとする外力が加えられた場合に、互いに連係する前記開閉部材、前記第１伝達部材、及び前記第２伝達部材のいずれかの部材の水平方向に沿った動作が、そのいずれかの部材の水平方向に隣接する他の部材によって規制されることで前記開閉部材の開放が阻止される構成であり、
前記第１伝達部材は、前記閉鎖部の上面側又は下面側に配置され、前記第１伝達部材は、前記回動軸線を中心とする半径方向に延出すると共に前記開閉部材に作用する作用部が先端部に形成された第１延長部と、前記回動軸線を中心する半径方向であって前記第１延長部とは異なる方向に延出すると共に前記第２伝達部材からの作用を受ける被作用部が先端部に形成された第２延長部とを備え、
前記閉鎖部における前記第１伝達部材側の面には、前記開閉部材が前記閉鎖位置にある状態で前記第１伝達部材及び前記第２伝達部材の少なくともいずれかの移動経路上に配置され、いずれかの伝達部材の移動を規制可能な突出形態の規制部が形成されており、
前記開閉部材が前記閉鎖位置にある状態で前記駆動源による駆動力を受けて前記第２伝達部材が変位したときには、当該第２伝達部材及び前記第１伝達部材が、前記規制部の移動経路上から退避しつつ前記開閉部材を連動させることで、前記規制部が前記第２伝達部材及び前記第１伝達部材によって規制されずに前記開閉部材が前記開放位置へ移動し、
前記開閉部材が前記閉鎖位置にある状態で前記開閉部材を前記開放位置に変位させようとする外力が加えられた場合には、前記開閉部材が前記第１延長部の前記作用部を後方側に押す作用に応じて前記第２延長部の前記被作用部に前方側への押圧力が生じ、前記第１伝達部材及び前記第２伝達部材の少なくともいずれかが前記規制部の移動経路上に位置することで前記開閉部材の変位が規制され、前記開閉部材の開放が阻止されることを特徴とする遊技機用可変入賞装置。
【請求項４】
前記開閉部材には、前記第１伝達部材から作用を受ける被開閉作用部が形成されており、
前記第１伝達部材及び前記第２伝達部材は、前記開閉部材の上方又は下方若しくは側方において前記被開閉作用部を前記遊技盤の後面よりも前方側の範囲で動作させるように構成され、
前記開閉部材は、前記開放位置にあるときに当該開閉部材の後端が前記遊技盤の後面と同位置又は当該後面の前方に位置するように構成されていることを特徴とする請求項１から請求項３のいずれか一項に記載の遊技機用可変入賞装置。
【請求項５】
請求項１から請求項４のいずれか一項に記載の遊技機用可変入賞装置が前記遊技盤に配置されていることを特徴とする遊技機。
【発明の詳細な説明】
【技術分野】
【０００１】
本発明は、遊技機用可変入賞装置及びそれを備えた遊技機に関するものである。
【背景技術】
【０００２】
アタッカーとも称される大入賞装置は、入賞口を開閉部材によって開閉する構成のものが多く、一般的には、閉鎖状態のときに開閉部材を遊技盤の前方に突出させて入賞口を閉鎖し、開放状態のときには開閉部材を遊技盤の前方から後退させて入賞口を開放するようにしている。
【０００３】
このような入賞装置の例としては、例えば特許文献１のようなものが提供されている。この特許文献１で開示される遊技部品（１７）は、遊技者に有利な第１状態（Ｙ）と不利な第２状態（Ｘ）との間で前後方向に変換動作可能な変換部材（４８）と、この変換部材（４８）を第１状態（Ｙ）と第２状態（Ｘ）とに変換駆動する駆動手段（４９）とを有しており、変換部材（４８）が第１状態（Ｙ）となるときに遊技球が入賞または通過するように構成され、第２状態（Ｘ）となるときには遊技球の入賞又は通過を阻止するように構成されている。
【先行技術文献】
【特許文献】
【０００４】
【特許文献１】特開２０１１−４５４９１号公報
【発明の概要】
【発明が解決しようとする課題】
【０００５】
ところで、上記のような入賞装置では、非動作時に開閉部材が不正に開放される虞があるため、このような開放を効果的に防止し得る構造が望まれている。特許文献１の遊技部品（１７）は、このような問題に着目したものであり、不正開放を防止するためのロック手段（５１）を備えた構成となっている。このロック手段（５１）は、変換部材（４８）を第２状態（Ｘ）でロックするように機能し、駆動手段（４９）が変換部材（４８）を第２状態（Ｘ）から第１状態（Ｙ）に変換する場合には、変換部材（４８）の駆動前にそのロックを解除するようになっている。しかしながら、この特許文献1の構成では、上下方向の嵩張りが大きくなるという問題がある。特に、開閉部材（変換部材（４８））と連動する連動部材（５０）を上下方向に延びるように配置し、左右方向の回転軸を中心として回動させているため、上下方向への嵩張りが避けられなくなってしまう。また、変換部材（４８）の後方側に連動部材（５０）を配置し、その後方側にロック手段（５１）を設けているため、装置全体として後方側への嵩張りも大きくなってしまう。
【０００６】
本発明は、上述した課題を解決するためになされたものであり、遊技球を内部に誘導可能に構成された遊技機用可変入賞装置及びこれを備えた遊技機において、不正開放をより確実に防止し得る構成を、上下方向及び前後方向の嵩張りを抑えて実現することを目的とする。
【課題を解決するための手段】
【０００７】
本発明の遊技機用可変入賞装置は、遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と、前記閉鎖位置のときよりも遊技球が進入しやすい開放位置とで変位する構成をなし、前記前後方向にスライド移動する開閉部材と、
通電可能に構成されたコイル部と、このコイル部の通電状態に応じて前記コイル部内に引き込まれた没入位置とこの没入位置のときよりも前記コイル部から突出する突出位置との間で直線的に移動するプランジャとを備え、前記プランジャが前記前後方向及び上下方向と直交する左右方向に往復移動するように配置され、駆動力を生じさせる駆動源と、
前記筐体内における前記開閉部材の上方又は下方若しくは側方の位置において前記上下方向に沿った回動軸線回りに回動可能に保持され、且つ前記開閉部材と連動するように配置される第１伝達部材と、前記筐体内において前記上下方向に沿った中心軸回りに回動可能に又は前記左右方向に沿ってスライド可能に保持され、前記駆動源の駆動力を受けて動作すると共にその駆動力を前記第１伝達部材に伝達する第２伝達部材と、を備えた伝達機構と、
を有し、
前記伝達機構は、
前記第２伝達部材が前記駆動源の駆動力を受けて動作するときに、前記第１伝達部材及び前記開閉部材の連係動作が許容されて前記開閉部材が開閉する一方、
前記開閉部材が前記閉鎖位置にある状態で当該開閉部材を前記開放位置に変位させようとする外力が加えられた場合に、互いに連係する前記開閉部材、前記第１伝達部材、及び前記第２伝達部材のいずれかの部材の水平方向に沿った動作が、そのいずれかの部材の水平方向に隣接する他の部材によって規制されることで前記開閉部材の開放が阻止されることを特徴とする。
更に、前記第１伝達部材は、前記回動軸線を中心とする半径方向に延出すると共に前記開閉部材に作用する作用部が先端部に形成された第１延長部と、前記回動軸線を中心する半径方向であって前記第１延長部とは異なる方向に延出すると共に前記第２伝達部材からの作用を受ける被作用部が先端部に形成された第２延長部とを備える。
【０００８】
本発明の遊技機は、上記遊技機用可変入賞装置が遊技盤に配置されていることを特徴とする。
【発明の効果】
【０００９】
本発明の遊技機用可変入賞装置及び遊技機では、伝達機構は、第２伝達部材が駆動源の駆動力を受けて動作するときには、第１伝達部材及び開閉部材の連係動作が許容されて開閉部材が開閉するように構成され、開閉部材が閉鎖位置にある状態で当該開閉部材を開放位置に変位させようとする外力が加えられた場合に、互いに連係する開閉部材、第１伝達部材、及び第２伝達部材のいずれかの動作が隣接する他の部材によって規制されることで開閉部材の開放が阻止されるようになっている。つまり、開閉部材が閉鎖位置にあるとき、駆動源の駆動力による正常な開放動作がなされるときには問題なく開閉部材を開放することができ、駆動源の駆動力によらずに外力によって不正な開放動作がなされるときには、連係動作するいずれかの部材の動きを規制することによって開閉部材の開放を阻止することができるようになっている。
また、本発明では、開閉部材が前後方向にスライド移動するように配置され、プランジャが左右方向に往復移動するように駆動源が配置されている。そして、第１伝達部材は上下方向に沿った回動軸線回りに回動可能に保持されており、第２伝達部材は、上下方向に沿った中心軸回りに回動可能に又は左右方向に沿ってスライド可能に保持されている。このように、開閉部材、プランジャ、第１伝達部材、第２伝達部材が水平方向に沿って移動するように構成されているため上下方向の嵩張りを効果的に抑えることができる。その上、連係する開閉部材、第１伝達部材、及び第２伝達部材のいずれかの部材の水平方向に沿った動作が、そのいずれかの部材の水平方向に隣接する他の部材によって規制されることで開閉部材の開放が阻止されるようになっており、ロック機構についても、上下方向に嵩張らずに構成できる。このようにして、装置全体の上下方向の嵩張りを抑えつつ不正開放をより確実に防止し得る構成を実現できる。
【００１０】
また、本発明において、前記第２伝達部材は、前記第１伝達部材を押圧可能な押圧作用部と、前記開閉部材が前記閉鎖位置にある状態で前記第１伝達部材の移動経路上に配置されると共に前記第１伝達部材の移動を規制可能な規制部とを有し、
前記開閉部材が前記閉鎖位置にある状態で前記プランジャが駆動するときには、前記規制部が前記第１伝達部材の移動経路上から退避しつつ前記押圧作用部が前記第１伝達部材を押圧することで、前記規制部が前記第１伝達部材の移動を規制せずに前記第１伝達部材が回動し、その回動動作に連係して前記開閉部材が前記開放位置へ移動し、
前記開閉部材が前記閉鎖位置にある状態で当該開閉部材を前記開放位置に変位させようとする外力が加えられた場合には、当該開閉部材と連動する前記第１伝達部材の移動経路上に前記規制部が位置することで前記第１伝達部材の回動動作及び前記開閉部材の変位が規制され、前記開閉部材の開放が阻止されるように構成されていてもよい。
【００１１】
この構成によれば、通常時には第１伝達部材と第２伝達部材を連係動作可能とし、不正開放操作時には第１伝達部材の移動経路を第２伝達部材によって阻害して開閉部材の開放を阻止しうる構成を、第２伝達部材に押圧作用部及び規制部を設けるという簡易な構成を要部として実現することができる。
【００１２】
また、本発明において、前記規制部は、前記押圧作用部の一部として形成されていてもよい。この構成によれば、部品構成の簡素化、小型化を図りやすくなる。
【００１３】
また、本発明において、前記第２伝達部材は、前記筐体内において前記上下方向に沿った中心軸回りに回動可能に保持され、前記プランジャの駆動の際に当該プランジャから押圧力を受ける被押圧部を有し、
前記プランジャは、前記開閉部材が前記閉鎖位置にある状態で前記第２伝達部材の移動経路上に配置され、当該第２伝達部材の移動を規制可能な規制部を有し、
前記開閉部材が前記閉鎖位置にある状態で前記プランジャが駆動するときには、前記プランジャが前記第２伝達部材の移動経路上から退避しつつ前記被押圧部を押圧することで、前記第２伝達部材が前記規制部に当接せずに移動すると共に回動し、その回動に連係して前記開閉部材が前記開放位置へ移動し、
前記開閉部材が前記閉鎖位置にある状態で当該開閉部材を前記開放位置に変位させようとする外力が加えられたときには、前記開閉部材及び前記第１伝達部材と連係しようとする前記第２伝達部材の一部が前記左右方向と交差する方向に向かうと共に前記突出位置にある前記プランジャの前記規制部と当接することで前記第２伝達部材の回動動作及び前記開閉部材の連係動作が規制され、前記開閉部材の開放が阻止されるようになっていてもよい。
【００１４】
この構成によれば、通常時にはプランジャの駆動に応じて第２伝達部材が水平方向に沿って回動し、不正開放操作時には第２伝達部材の回動動作をプランジャによって阻害して開閉部材の開放を阻止しうる構成を、第２伝達部材に被押圧部及び被規制部（規制部によって規制されうる部分）を設け、プランジャに規制部を設けるという簡易な構成を要部として実現することができる。
【００１５】
また、本発明において、前記第１伝達部材は、前記閉鎖部の上面側又は下面側に配置され、
前記閉鎖部における前記第１伝達部材側の面には、前記開閉部材が前記閉鎖位置にある状態で前記第１伝達部材及び前記第２伝達部材の少なくともいずれかの移動経路上に配置され、いずれかの伝達部材の移動を規制可能な突出形態の規制部が形成されており、
前記開閉部材が前記閉鎖位置にある状態で前記駆動源による駆動力を受けて前記第２伝達部材が変位したときには、当該第２伝達部材及び前記第１伝達部材が、前記規制部の移動経路上から退避しつつ前記開閉部材を連動させることで、前記規制部が前記第２伝達部材及び前記第１伝達部材によって規制されずに前記開閉部材が前記開放位置へ移動し、
前記開閉部材が前記閉鎖位置にある状態で前記開閉部材を前記開放位置に変位させようとする外力が加えられた場合には、前記第１伝達部材及び前記第２伝達部材の少なくともいずれかが前記規制部の移動経路上に位置することで前記開閉部材の変位が規制され、前記開閉部材の開放が阻止されるようになっていてもよい。
【００１６】
この構成によれば、通常時には開閉部材が第２伝達部材及び第１伝達部材によって規制されずに開閉動作し、不正開放操作時には開閉部材の移動経路を第１伝達部材及び第２伝達部材の少なくともいずれかによって阻害して開放を阻止しうる構成を、開閉部材の所定位置に規制部を設けるという簡易な構成を要部として実現することができる。
【００１７】
また、本発明において、開閉部材に、第１伝達部材から作用を受ける被開閉作用部が形成され、第１伝達部材及び第２伝達部材は、開閉部材の上方又は下方若しくは側方において被開閉作用部を遊技盤の後面よりも前方側の範囲で動作させるように構成されていてもよい。そして、開閉部材は、開放位置にあるときに当該開閉部材の後端が遊技盤の後面と同位置又は当該後面の前方に位置するように構成されていてもよい。
この構成によれば、入賞装置全体の前後方向の嵩張りを抑えることができ、特に入賞装置後方側において他部品のためのスペースを確保しやすくなる。
【図面の簡単な説明】
【００１８】
【図１】図１は、本発明の第１実施形態に係る遊技機用可変入賞装置を備えた遊技機を例示する正面図である。
【図２】図２（Ａ）は、本発明の第１実施形態に係る遊技機用可変入賞装置に関し、開閉部材が閉鎖位置にあるときの様子を前側の斜め上方から見た斜視図であり、図２（Ｂ）は、開閉部材が開放位置にあるときの図２（Ａ）に対応する図である。
【図３】図３（Ａ）は、図２（Ａ）の遊技機用可変入賞装置の正面図であり、図３（Ｂ）はその背面図である。
【図４】図４（Ａ）は、図２の遊技機用可変入賞装置に関し、開閉部材が閉鎖位置にあるときの平面図であり、図４（Ｂ）は、開閉部材が開放位置にあるときの平面図である。
【図５】図５は、図２の遊技機用可変入賞装置を前側の斜め上方から見た分解斜視図である。
【図６】図６は、図２の遊技機用可変入賞装置を後側の斜め下方から見た分解斜視図である。
【図７】図７（Ａ）は、図３（Ａ）のＡ−Ａ断面を概略的に示す断面図であり、図７（Ｂ）は、開閉部材が開放位置にあるときの図７（Ａ）に対応した断面図である。
【図８】図８（Ａ）は、図３（Ａ）のＢ−Ｂ断面を概略的に示す断面図であり、図８（Ｂ）は、開閉部材が開放位置にあるときの図８（Ａ）に対応した断面図である。
【図９】図９（Ａ）は、開閉部材が閉鎖位置にあるときの、開閉部材、第１伝達部材、第２伝達部材、及びソレノイドの連係状態を上方側から示す説明図であり、図９（Ｂ）は、開閉部材が開放位置にあるときの図９（Ａ）に対応した説明図である。
【図１０】図１０は、図２の遊技機用可変入賞装置に関し、開閉部材が閉鎖位置にある状態で外力が加えられたとき（ロック状態のとき）の第１伝達部材、第２伝達部材、及びソレノイドの連係状態を上方側から示す説明図である。
【図１１】図１１（Ａ）は、図３（Ａ）のＣ−Ｃ断面を概略的に示す断面図であり、図１１（Ｂ）は、開閉部材が開放位置にあるときの図１１（Ａ）に対応した断面図である。図１１（Ｃ）は、ロック状態のときの図１１（Ａ）に対応した断面図である。
【図１２】図１２（Ａ）は、図３（Ａ）のＤ−Ｄ断面を概略的に示す断面図であり、図１２（Ｂ）は、開閉部材が開放位置にあるときの図１２（Ａ）に対応した断面図である。図１２（Ｃ）は、ロック状態のときの図１２（Ａ）に対応した断面図である。
【図１３】図１３は、図２の遊技機用可変入賞装置に関し、開閉部材、第１伝達部材、第２伝達部材、及びソレノイドの連係状態を斜め後方側からの様子を示す説明図であり、図１３（Ａ）は、開閉部材が閉鎖位置にあるときの様子を示す図であり、図１３（Ｂ）は、開閉部材が開放位置にあるときの様子を示す図であり、図１３（Ｃ）は、ロック状態のときの様子を示す図である。
【図１４】図１４は、図２の遊技機用可変入賞装置に関し、開閉部材、第１伝達部材、第２伝達部材、及びソレノイドの連係状態を斜め前方側からの様子を示す説明図であり、図１４（Ａ）は、開閉部材が閉鎖位置にあるときの様子を示す図であり、図１４（Ｂ）は、開閉部材が開放位置にあるときの様子を示す図であり、図１４（Ｃ）は、ロック状態のときの様子を示す図である。
【図１５】図１５は、本発明の第２実施形態に係る遊技機用可変入賞装置に関し、開閉部材が閉鎖位置にあるときの第１伝達部材、第２伝達部材、及びソレノイドの連係状態を後方側から示す説明図である。
【図１６】図１６（Ａ）は、図１５のＥ−Ｅ断面を概略的に示す断面図であり、図１６（Ｂ）は、ソレノイドが引き込まれ始めたときの図１６（Ａ）に対応した断面図であり、図１６（Ｃ）は、開閉部材が開放位置にあるときの図１６（Ａ）に対応した断面図である。
【図１７】図１７は、本発明の第３実施形態に係る遊技機用可変入賞装置における図３のＣ−Ｃ位置に対応する断面図であり、図１７（Ａ）は、開閉部材が閉鎖位置にあるときの状態を図１１（Ａ）の一部を変更して示す断面図であり、図１１（Ｂ）は、開閉部材が開放位置にあるときの図１７（Ａ）に対応した断面図である。
【図１８】図１８は、本発明の第４実施形態に係る遊技機用可変入賞装置における開閉部材が閉鎖位置にある状態で外力が加えられたとき（ロック状態のとき）の第１伝達部材、第２伝達部材、及びソレノイドの連係状態を上方側から示す説明図である。
【発明を実施するための形態】
【００１９】
[第１実施形態]
以下、本発明に係る遊技機用可変入賞装置１０及びそれを備えた遊技機１を具現化した第１実施形態について、図面を参照して説明する。
（遊技機の構成）
まず、図１を参照して遊技機１の構成を概説する。図１に示す遊技機１は、いわゆるパチンコ機として構成されるものであり、木板（ベニヤ板）、アクリル板等によって構成される遊技盤２の盤面（前面２ｂ）に沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動誘導口７が配置されている。そして、液晶表示部３の下方側において、始動誘導口７の横方向に、本発明に係る遊技機用可変入賞装置１０が配置されている。なお、遊技機１には、遊技盤２の前方において当該遊技盤２の盤面（前面２ｂ）とほぼ平行に透明板（ガラス板等）が配置され、ガイドレール５等によって区画された遊技領域内において透明板と遊技盤２との間を遊技球が流下するように構成されている。
【００２０】
（遊技機用可変入賞装置の構成）
次に、第１実施形態に係る遊技機用可変入賞装置１０について説明する。
図１に示すように、遊技機用可変入賞装置１０（以下、入賞装置１０ともいう）は、遊技盤２に直接的に又は他部材を介して間接的に固定されて用いられるものであり、その一部が遊技盤２の前方側から視認可能となるように露出した状態で配置されている。この入賞装置１０は、図１、図２及び図４に示すように遊技盤２の前面２ｂ（盤面）の前方側において上方側に開放した開口形態で配される誘導口２０を備えている。この誘導口２０は、後述する開閉部材２１によって開閉される構成をなしており、開閉部材２１が開放位置となったときに開放状態となり、前面２ｂに沿って流下する遊技球を内部に誘導することができるようになっている。なお、図１等に示す入賞装置の代表例では、誘導口２０が大入賞口として機能するアタッカーとしての例を示すが、遊技球が入賞し得る構成であれば電動チューリップや役物等の様々な入賞装置に適用できることは勿論である。
なお、図４、図７、図８、図１１、図１２、及び図１７では、遊技盤２の前面２ｂ（盤面）及び後面２ｃの位置を二点鎖線にて仮想的に示している。
【００２１】
本明細書において、「前後方向」とは、遊技盤２の前面２ｂ（盤面）と直交する方向を意味し、前面２ｂ（盤面）に対し遊技者が位置するべき側を前方側、それとは反対側（即ち、遊技機１奥側）を後方側とする。また、「上下方向」とは、遊技領域を遊技球が流下する方向（鉛直方向）を意味する。また、「左右方向」とは、上記「前後方向」及び「上下方向」と直交する方向を意味する。遊技機前方側から見て左側を左方向、右側を右方向とする。また、「水平方向」とは、上記「上下方向」と直交する平面方向（即ち、「前後方向」及び「左右方向」と平行な平面方向）を意味する。
【００２２】
ここで、図２〜図１４等を参照し、入賞装置１０を構成する各部品について詳述する。
図２〜図６に示すように、入賞装置１０は、遊技盤２に直接的に固定されると共に遊技盤２の前方側に当該遊技盤２の前面２ｂに沿って流下する遊技球を下方側に進入させつつ取り込む誘導口２０が形成されてなる筐体８０と、遊技盤２の前面２ｂの前方側において誘導口２０を閉鎖可能な閉鎖部２１ａを備え、閉鎖部２１ａが誘導口２０を閉鎖する閉鎖位置とその閉鎖位置のときよりも遊技球が進入しやすい開放位置とで変位する開閉部材２１と、駆動力を生じさせる駆動源４０とを備えている。更に、入賞装置１０は、開閉部材２１と連動可能に構成されると共に駆動源４０の駆動力を受けて開閉部材２１を前後に変位させる構成をなし、閉鎖位置のときには閉鎖部２１ａを遊技盤２の前方側に突出させて誘導口２０を閉鎖し、開放位置のときには閉鎖部２１ａを閉鎖状態のときよりも後退させて誘導口２０を開放するように開閉部材２１を変位させる伝達機構３０と、誘導口２０から内部に進入した遊技球を検出する球検出部６２とを備えている。
以下、各構成要素について詳述する。
【００２３】
まず、開閉部材２１について説明する。
開閉部材２１は、図５、図６等に示すように、長手状且つ略板状に構成されており、図２（Ａ）、図４（Ａ）に示すように、筐体８０に形成された誘導口２０を閉塞し得るように当該筐体８０に保持されている。この開閉部材２１は、図２（Ａ）（Ｂ）及び図４（Ａ）（Ｂ）に示すように、遊技盤２の前面２ｂの前方側に突出して誘導口２０を閉鎖する位置（閉鎖位置（図２（Ａ）、図４（Ａ）））と、その閉鎖位置のときよりも誘導口２０に遊技球が進入しやすくなる位置（開放位置（図２（Ｂ）図４（Ｂ）））とで変位するようになっている。
【００２４】
開閉部材２１は、図５及び図６に示すように、主として、略板状に形成され誘導口２０を閉鎖し得るように機能する閉鎖部２１ａと、開閉部材２１の下面側における後端部２１ｃ付近（後部側）かつ中央部付近から下方側に突出するように凸状に形成された被作用部２１ｂ（図６）と、開閉部材２１の上面側における後端部２１ｃ付近かつ中央部付近から上方向に突出する上側摺動部２１ｄと、開閉部材２１の下面側における後端部２１ｃ付近（後部側）かつ中央部付近から下方向に突出する下側摺動部２１ｅとを備えている。また、開閉部材２１の前端は、下面側が前方に向かって高位置となるように傾斜している。
【００２５】
開閉部材２１の上側摺動部２１ｄは、図３（Ｂ）及び図６に示すように、後述する台板部材８５の上側ガイド部８５ｄに沿って前後方向に摺動可能に設けられている。また、図７（Ａ）及び図８（Ａ）に示すように、上側摺動部２１ｄは、開閉部材２１が閉鎖位置に位置する際に、台板８５ａの一部に接触することで開閉部材２１が閉鎖位置より前方へ移動することを規制している。また、図５、図１１（Ａ）等に示すように、開閉部材２１の下側摺動部２１ｅは、後ケース体８２において溝状に形成された下側ガイド部８２ｂに沿って前面２ｂの前後方向に摺動可能に設けられている。また、図１１（Ａ）に示すように、下側摺動部２１ｅは、開閉部材２１が閉鎖位置に位置する際に、溝状に形成された下側ガイド部８２ｂの内壁前端に接触することで開閉部材２１が閉鎖位置より前方へ移動することを規制している。このように、開閉部材２１に形成された上側摺動部２１ｄ及び下側摺動部２１ｅが前後方向に摺動し、開閉部材２１の前後動をガイドすることで、開閉部材２１が所定の姿勢（上下方向を板厚方向とする姿勢）を維持しつつ閉鎖位置と開放位置とにスライド変位し得るようになっている。更に、図５に示すように、開閉部材２１の左端は、後ケース体８２の左側ガイド部８２ｆあるいは前ケース体８１の左側ガイド部８１ｆに支持され、開閉部材２１の右端は、後ケース体８２の右側ガイド部８２ｇ及び前ケース体８１の右側ガイド部８１ｇの一連のガイド部に沿って移動するようになっており、これにより安定的に開閉部材２１を変位させることができる。
【００２６】
図６に示す被作用部２１ｂは、開閉部材２１の後部側において伝達機構３０から作用を受けるように構成された部分であり、図７、図８等に示すように後述する第１伝達部材３１と連結されるとともに、この第１伝達部材３１の先端部と連動して前後動するように構成されている。本構成では第１伝達部材３１（後述）が回動可能に構成され、その回動に応じて第１伝達部材３１の先端部に形成された作用部３１ｄが前後動するようになっており、図７（Ａ）、図８（Ａ）、図１１（Ａ）及び図１２（Ａ）に示すように、第１伝達部材３１の作用部３１ｄが遊技盤２の前面２ｂに近い前方位置に移動するときには、被作用部２１ｂも連動して前方に移動し、この作用部３２ｃの変位に応じて開閉部材２１が前方位置（閉鎖位置）に移動することとなる。一方、図７（Ｂ）、図８（Ｂ）、図１１（Ｂ）及び図１２（Ｂ）に示すように、第１伝達部材３１の作用部３１ｄが遊技盤２の後面２ｃ側に近い後方位置に移動するときには、被作用部２１ｂも連動して後方に移動し、この作用部３２ｃの変位に応じて開閉部材２１が後方位置（開放位置）に移動することとなる。
【００２７】
そして、図２（Ａ）、図１１（Ａ）、図１２（Ａ）のように開閉部材２１が閉鎖位置にあるときには、閉鎖部２１ａが誘導路６０の上方で誘導口２０を塞ぐように遊技盤２の前方側（より詳しくは、後述する庇部８６の前方側）に突出して配されるようになっている。また、図２（Ｂ）、図１１（Ｂ）、図１２（Ｂ）のように開閉部材２１が開放位置にあるときには、閉鎖部２１ａが誘導路６０の上方から退避し、誘導口２０を開放するように配されることとなる。そして、このように開放位置にあるときには、開閉部材２１の後端部２１ｃは、遊技盤２の後面２ｃと同位置又はこれよりも前方に位置するようになっている。なお、図７（Ｂ）、図８（Ｂ）等に示す例では、開閉部材２１が開放位置にあるときに、開閉部材２１の後端部２１ｃが遊技盤２の後面２ｃと前後方向においてほぼ同位置となる場合を示しているが、開閉部材２１が開放位置にあるときに開閉部材２１の後端が遊技盤２の後面２ｃよりもある程度離れた前側に位置するようになっていてもよい。
【００２８】
また、図７（Ｂ）、図８（Ｂ）のように、開閉部材２１が開放位置にあるときには、開閉部材２１の前端は、遊技盤２の前面２ｂよりも前方に位置するようになっている。より具体的には、後述する台板部材８５（筐体８０）において遊技盤２の前面２ｂの前方に突出するように庇部８６が形成されており、開閉部材２１は、開放位置のときに当該開閉部材２１における遊技盤２の前面２ｂの前方に突出する部分の大部分が庇部８６の下方側に配されるようになっている。なお、図７（Ｂ）、図８（Ｂ）の例では、開放位置のときに当該開閉部材２１の上面部前端が庇部８６の前端位置よりもやや後方となるように構成されていてもよく、開閉部材２１の上面部前端が庇部８６の前端位置よりもやや前方となるように構成されていてもよい。更に、本構成では、図７、図８のように、伝達機構３０（後述）の作用を受ける被作用部２１ｂが、遊技盤２における前面２ｂと後面２ｃの間の厚み内で変位するようになっている。
【００２９】
次に、筐体８０について説明する。
筐体８０は、開閉部材２１、駆動源４０、第１伝達部材３１、第２伝達部材３２及び球検出部６２等を収容すると共に入賞装置１０の外殻をなすものであり、例えば樹脂材料などによって箱状に構成されている。この筐体８０は、図２〜図６に示すように、遊技盤２に固定される台板部材８５と、台板部材８５の前側に配置され、上部に遊技球を受け入れる誘導口２０が形成されてなる前ケース体８１と、台板部材８５の後側に配置され、駆動源４０及び伝達機構３０が収容される後ケース体８２と、後ケース体８２の下側に配置され、駆動源４０及び第１伝達部材３１を下方側から支持する下ケース体８３とを備えている。そして、これらがねじ等の締結部材によって一体的に組付けられている（図５及び図６等を参照）。また、前ケース体８１の前方側には、前面に図柄等が施される前飾り部材８７が設けられ、前ケース体８１に一体的に組み付けられている。
【００３０】
この筐体８０は、図７、図８、図１１及び図１２のように、開閉部材２１、第１伝達部材３１、第２伝達部材３２、駆動源４０を内部に収容して直接的に保持するように構成されている。具体的には、台板部材８５と後ケース体８２とによって閉鎖された閉鎖空間内を移動し得るように第１伝達部材３１が組み付けられ、後ケース体８２と下ケース体８３とによって閉鎖された閉鎖空間に第２伝達部材３２及び駆動源４０が組み付けられ、前ケース体８１と台板部材８５と後ケース体８２とによって閉鎖された空間内に球検出部６２が組み付けられている。
【００３１】
図２（Ａ）のように、筐体８０の上面部には、遊技盤２の前面２ｂ（図４等）に沿うように誘導樋５０が形成されている。この誘導樋５０は、図２（Ａ）のように開閉部材２１が閉鎖位置にあるときに当該開閉部材２１の上流側に隣接して配置される上流側誘導樋５２と、開閉部材２１が閉鎖位置にあるときに当該開閉部材２１の下流側に隣接して配置される下流側誘導樋５１とにより構成されている。そして、筐体８０において上流側誘導樋５２と下流側誘導樋５１との間に形成される開口部が誘導口２０となっている。この誘導口２０は、入賞口として機能する部分であり、当該誘導口２０を遊技球が通過したときにこの通過した遊技球が球検出部６２（後述）によって検出され、所定の遊技（例えば賞球の払い出し）が行われるようになっている。
【００３２】
具体的には、図２のように前ケース体８１の周壁部８１ｃの一部をなす上側の壁部５２ａが上流側誘導樋５２の底壁部となっており、もう一方の上側の壁部５１ａが下流側誘導樋５１の底壁部となっている。上流側誘導樋５２は、この壁部５２ａと、前ケース体８１及び台板８５ａにおける壁部５２ａに隣接する部分とによって構成されており、壁部５２ａ上を遊技球が右方向に転がるようになっている。また、下流側誘導樋５１は、この壁部５１ａと、前飾り板８７ａ及び台板８５ａにおける壁部５１ａに隣接する部分とによって構成されており、壁部５１ａ上を左方向に転がるように遊技球が流下するようになっている。この誘導樋５０では、壁部５２ａにおける左右方向一方側（壁部５１ａ側）の端部と、壁部５１ａにおける左右方向他方側（壁部５２ａ側）の端部と、台板８５ａとによって誘導口２０が形成されており、これらによって囲まれる開口領域が遊技球の取り込み口となっている。なお、誘導口２０の前側には、図示しない透明板（ガラス板等）が配置されている。
【００３３】
この構成では、図２（Ａ）のように開閉部材２１が閉鎖位置にあるときには、開閉部材２１上に流下してきた遊技球が、開閉部材２１の上を転がり、下流側誘導樋５１側に導かれることとなる。また、図２（Ｂ）のように後述する開閉部材２１が開放位置にあるときには、誘導口２０上方に流下してきた遊技球が、誘導口２０から内部に進入することとなる。なお、図２等に示す例では、上流側誘導樋５２は、誘導口２０側が高位となるように傾斜しているが、反対に傾斜するように形成されていてもよい。即ち、誘導口２０側が低位となり、誘導口２０とは反対側が高位となるように形成されていてもよい。このようにすると、上流側誘導樋５２上を転がる遊技球が誘導口２０側に導かれやすくなる。
【００３４】
また、図２に示すように、筐体８０の内部には、誘導口２０側を上流側として当該誘導口２０から進入する遊技球を下流側に設けられた排出部６０ａ（図３（Ｂ）参照）へ誘導する誘導路６０が形成されている。図２に示すように、誘導路６０は、前ケース体８１の板部８１ａ及び上壁部８１ｅと、後ケース体８２の周壁部８２ａと、下ケース体８３の貫通孔８３ａと、前飾り部材８７の後方に配置される球検出部６２などによって構成されている。この誘導路６０は、遊技球を１球ずつ通す流路として機能しており、具体的には、前ケース体８１の板部８１ａの後方側且つ後ケース体８２の周壁部８２ａの前方側において、前ケース体８１の上壁部８１ｅの上部を球検出部６２の遊技球通過孔６２ａに向かって遊技球（誘導口２０から進入した遊技球）が通るようになっている。また、球検出部６２の下方側には、遊技球通過孔６２ａに対して排出部６０ａが連通している。また、前ケース体８１における上壁部８１ｅは、球検出部６２側が低位になるように傾斜している。更に、前ケース体８１において遊技盤２の前面２ｂの前方側（遊技者側）から見て左下方向に形成された所定の空間から、下ケース体８３に形成された貫通孔８３ａへと遊技球が誘導されるようになっている。
【００３５】
前飾り部材８７は、図５及び図６に示すように、遊技盤２の前面２ｂと略平行に配置される板状の前飾り板８７ａと、当該前飾り板８７ａから後方に突出する取付部８７ｂとを備えており、取付部８７ｂには、前飾り部材８７の後方側から締結部材８８を取り付ける孔部８７ｃ（図６）が設けられている。
【００３６】
前ケース体８１は、図５及び図６に示すように、遊技盤２の前面２ｂと略平行に配置される板状の板部８１ａと、当該板部８１ａから後方に突出する周壁部８１ｃとを備えており、板部８１ａには、筐体８０の組み立て時に、前飾り部材８７の取付部８７ｂを貫通させる案内孔８１ｂが設けられている。周壁部８１ｃは、板部８１ａの外周部に沿った枠状に構成されており、前ケース体８１の上端側において左右に所定距離隔てて配置される一対の壁部５１ａ、５２ａ（上述の下流側誘導樋５１、上流側誘導樋５２のそれぞれの底壁）と、前ケース体８１の左右両側において上下に延びるように配置される一対の側壁９１、９２と、これら側壁９１、９２の下端部側を連結する形態で配置される底壁９３とを有しており、上述したように、一対の壁部５１ａ、５２ａの間に形成される開口部が上記誘導口２０として機能している。また、上記誘導口２０の左右端部（即ち、壁部５１ａ、５２ａの開口側の端部）から垂れ下がる構成で一対の内壁部９４、９５が形成されており、更に、壁部５１ａ、５２ａから所定距離隔てた下方位置且つ底壁９３の上方位置において、壁部５２ａと段差状となるように上壁部８１ｅが設けられている。本構成では、上記内壁部９４、９５及び上壁部８１ｅによって左右及び下方が囲まれ、前飾り板８７ａ及び台板８５ａによって前後が囲まれるように誘導路６０が構成されており、誘導口２０から下方に入り込んだ遊技球がこの誘導路６０によって導かれるようになっている。誘導路６０において、上壁部８１ｅは、一方の内壁部９５側に隣接して配置されると共に、他方の内壁部９４とは隙間を隔てて配置され、さらに左側が下がるように（内壁部９４側となるにつれて下方位置となるように）傾斜して設けられている。従って、誘導路６０内に入り込んだ遊技球は、上壁部８１ｅの上面部を左側（内壁部９４側）に転がり、上壁部８１ｅと内壁部９４の間に形成された隙間から落下することとなる。また、その隙間の下方側には、前ケース体８１の後方側から球検出部６２を組み付けて収容する収容部８１ｄが形成されており、上記隙間から落下した遊技球はこの球検出部６２に形成された孔内を通過して検出されるようになっている。
【００３７】
また、一方の内壁部９４における開閉部材２１付近（壁部５１ａの誘導口側端部付近）には略三角形突起状の左側ガイド部８１ｆが形成されており、他方の内壁部９５における開閉部材２１付近（壁部５２ａの誘導口側端部付近）には左上方に向かって凹形状の右側ガイド部８１ｇが設けられている。また、前ケース体８１には、遊技盤２の前面２ｂの前方側（遊技者側）から見て左下に、内壁部９４と上壁部８１ｅとの間の隙間から下方に続く遊技球誘導経路が形成され、当該経路内の底壁部には遊技球を後方側に誘導する凸状形態のレール部８１ｈが設けられている（図３（Ｂ）及び図４（Ｂ）参照）。なお、このレール部８１ｈは、後述する下ケース体８３に形成されたレール部８３ｂに隣接して続くようになっており、レール部８１ｈ上を転がる遊技球は、続いて、その後方のレール部８３ｂ上を転がって外部に排出されるようになっている。
【００３８】
また、図２に示すように、誘導口２０の下方に位置する誘導路６０の底壁（前ケース体８１の上壁部８１ｅ）上には、２つの誘導突起部８２ｃが所定の間隔を隔てて設けられている。具体的には、図５に示すように、略三角柱形状を有し、後ケース体８２から突出するように形成されるとともに、図２に示すように、前ケース体８１における上壁部８１ｅの上面に接するように構成されている。これによって、誘導口２０に流入した遊技球が誘導路６０（前ケース体８１の上壁部８１ｅ）を流下する際に、誘導突起部８２ｃに接触させて前方側に流下方向を規制することができ、誘導路６０内で遊技球の流れが不規則に変化して球詰まりが発生することを回避することができる。
【００３９】
前ケース体８１に組み付けられる台板部材８５は、図５及び図６に示すように、遊技盤２の前面２ｂに隣接して配置される板状の台板８５ａと、この台板８５ａから後方に突出する略板状の突出部８５ｂとを備えている。突出部８５ｂには、上方向に向かって凹形状となるように構成され且つその内壁面で開閉部材２１の上側摺動部２１ｄをガイドするように機能する上側ガイド部８５ｄが形成されている。また、突出部８５ｂの下方には、後述する後ケース体８２が嵌まり込んだ状態で組み付けられるようになっている。具体的には、台板８５ａを厚さ方向（前後方向）に貫通する貫通孔８５ｃが形成されている。そして、台板部材８５の後方側から後ケース体８２を組み付けることで、当該貫通孔８５ｃ内に嵌合する構成で後ケース体８２が配置されることになる。
【００４０】
後ケース体８２は、図５及び図６に示すように、前後左右の四方を囲むような周壁部８２ａによって構成されており、上下両方向から内部に部品を組み付けて収容できるように所定の空間が形成されている。そして、上方からは、第１伝達部材３１を組み付けて収容し、下方からは第２伝達部材３２及び駆動源４０を組み付けて収容している。また、後ケース体８２の上側において中央左寄り部分には下方側に凹むように構成され且つ後述する作用部３１ｄが出入り可能となるように構成された切欠状の後側開口部８２ｅが形成されている。また、後ケース体８２の上面部左端側には、前後方向に延びるリブ状に構成され且つ開閉部材２１の左端部をガイドするように構成された左側ガイド部８２ｆが形成され、後ケース体８２の上面部右端側には、前後方向に延びるリブ状に構成され且つ開閉部材２１の右端部をガイドするように構成された右側ガイド部８２ｇが形成されている。
【００４１】
下ケース体８３は、図５及び図６に示すように、上方の壁部を除く略直方体状に形成され、上方から内部に部品を組み付けて収容できるように所定の空間が形成されている。また、下ケース体８３の左側には、前後方向に貫通する貫通孔８３ａが設けられている。そして、上方からは、第２伝達部材３２及び駆動源４０を組み付けて収容している。また、下ケース体８３を、後ケース体８２に、下方側から組み付けることで、筐体８０の一部を構成している。
【００４２】
球検出部６２は、図２及び図４（Ｂ）に示すように、開閉部材２１の下方側において、遊技盤２の後面２ｃよりも前側の領域に配置されている。また、遊技球通過孔６２ａが遊技盤２の後面２ｃよりも前側の領域に位置されており、誘導路６０を通過する遊技球を検出するように機能している。また、球検出部６２は、上面部６２ｂの一部が誘導路６０内に面し、他の部分が下ケース体８３に覆われるように筐体８０の内部に保持されており、上面部６２ｂの誘導路６０内に面する部分において上面部６２ｂ側から下面部６２ｃ側に連通するように遊技球通過孔６２ａが形成されている。そして、この遊技球通過孔６２ａを通過する遊技球Ｂを検出するように構成されている。また、球検出部６２は、上面部６２ｂ及び下面部６２ｃが略水平の状態で筐体８０内に保持され、遊技球通過孔６２ａが上方前側から下方後側に続くように配置されて、上面部６２ｂ側から遊技球通過孔６２ａ内に入り込んだ遊技球がこの遊技球通過孔６２ａによって下方側に導かれるようになっている。遊技球通過孔６２ａを通過した遊技球は、この遊技球通過孔６２ａの後方側且つ下方側に設けられた排出部６０ａに誘導され、排出部６０ａから装置外に排出されるようになっている。
【００４３】
また、図３、図７、図８に示すように、台板部材８５の台板８５ａには、開閉部材２１の上方において、遊技盤２ａの前方に延出する庇部８６が設けられている。具体的には、庇部８６は、台板部材８５の台板８５ａに形成された貫通孔８５ｃの上側の縁に沿うように設けられており、上面が前方に向かって低位置となるように傾斜している。これによって、開閉部材２１が閉鎖位置に位置する際は、図７（Ａ）及び図８（Ａ）に示すように、庇部８６は開閉部材２１の閉鎖部２１ａの真上に位置し、開閉部材２１が開放位置に位置する際は、図７（Ｂ）及び図８（Ｂ）に示すように、庇部８６は開閉部材２１の前端を上方から覆うように位置している。
【００４４】
また、本構成の筐体８０には、図３に示すように、第１伝達部材３１と干渉を回避するための前側開口部８２ｄ、後側開口部８２ｅが形成されている。前側開口部８２ｄは、図３（Ａ）及び図１１に示すように、後ケース体８２の前側の周壁部８２ａに略長方形状の貫通孔として形成されている。後側開口部８２ｅは、図３（Ｂ）に示すように、後ケース体８２の後側の周壁部８２ａに、開閉部材２１と第１伝達部材３１の一部を後側に投影した形状の貫通孔として形成されている。そして、図１１（Ｂ）に示すように、開閉部材２１が開放位置に位置する際に、第１伝達部材３１の被作用部３１ｅが前側開口部８２ｄに後方側から入り込む構成になっている。また、図１１（Ａ）に示すように、開閉部材２１が閉鎖位置に位置する際に、第１伝達部材３１の作用部３１ｄが後側開口部８２ｅに前方側から入り込む構成になっている。このような構成によって、第１伝達部材３１が筐体８０と干渉することを回避し、第１伝達部材３１、第２伝達部材３２及び開閉部材２１の可動域を広げることができ、開閉部材２１の被作用部２１ｂを筐体８０内において遊技盤２の厚み内で変位するように構成することが可能となる。
【００４５】
次に、駆動源４０について説明する。
図５、図６に示すように、駆動源４０は、通電可能なコイルを備えたコイル部４１と、プランジャ４２と、ばね部材４３とを備えている。なお、図１０、図１３、図１４等の構成では、ばね部材４３を省略して示している。この駆動源４０は、図３（Ｂ）、図７、図８のように、開閉部材２１及び第１伝達部材３１の下方側において遊技盤２の前面２ｂよりも後側の領域且つ後面２ｃよりも前側の領域に配置されている。そして、コイル部４１によってプランジャ４２を駆動することにより、後述する第２伝達部材３２を後述する第１回動位置と第２回動位置とで変位させるように機能している。
【００４６】
プランジャ４２は、図５及び図６に示すように、軸状に構成されると共に、その一部がコイル部４１に形成された孔部（図示略）内に挿入されるようになっており、この孔部に沿って移動することによりコイル部４１に対して直線的に相対移動するようになっている。このプランジャ４２は、図１４等に示すように、フランジ状に構成された先端部４２ａが後述する第２伝達部材３２と嵌合することで第２伝達部材３２に一体的に連結されており、第２伝達部材３２はプランジャ４２の変位に応じて回動運動するようになっている。
【００４７】
コイル部４１は、金属線が複数周巻き回されてなる中空状の金属コイルからなり、この金属コイルの通電、非通電が切り替えられることにより、励磁状態と非励磁状態とに切り替わるようになっている。このコイル部４１は、後ケース体８２と下ケース体８３とによって閉鎖された空間に収容されており、プランジャ４２はこの空間内において右方向に突出するように位置している。また、プランジャ４２は、コイル部４１が非励磁状態のときには、ばね部材４３によってプランジャ４２の先端部４２ａがコイル部４１から離間するように付勢され、図１３（Ａ）及び図１４（Ａ）に示す所定の突出位置に維持されるようになっている。
【００４８】
一方、コイル部４１が励磁状態のときには、図１３（Ｂ）及び図１４（Ｂ）のように、プランジャ４２がコイル部４１内に引き込まれ、上記突出位置のときよりも突出量が小さくなる状態（没入位置）で維持される。このように、プランジャ４２は、このコイル部４１の通電状態に応じてコイル部４１内に引き込まれた没入位置（図１３（Ｂ）及び図１４（Ｂ））とこの没入位置のときよりもコイル部４１から突出する突出位置（図１３（Ａ）及び図１４（Ａ））との間で左右に直線的に移動するようになっている。
【００４９】
次に、伝達機構３０について説明する。
伝達機構３０は、開閉部材２１と連動可能に構成され、駆動源４０の駆動力を受けて動作するとともに、開閉部材２１を閉鎖位置と開放位置とで変位させるように構成されている。この伝達機構３０は、筐体８０内における開閉部材２１の下方において上下方向に沿った回動軸線Ｇ１（図１０等）回りに回動可能に保持され、且つ開閉部材２１と連動するように配置される第1伝達部材３１と、筐体８０内において上下方向に沿った中心軸Ｇ２（図１０等）回りに回動可能に保持され、駆動源４０の駆動力を受けて動作すると共にその駆動力を第1伝達部材３１に伝達する第２伝達部材３２とを備えている。
【００５０】
開閉部材２１側に配置される第１伝達部材３１は、図５、図６、図１０等に示すように、全体としてＶ字状（へ字状）の形態をなし、その屈曲部分で連結される第１延長部３１ｂと第２延長部３１ｃとを備えている。この第１伝達部材３１は、屈曲部分が回動中心となるように、後ケース体８２に形成されたボス（軸）に挿通される回動軸孔３１ａが形成されており、第１延長部３１ｂは回動軸孔３１ａを中心とする半径方向に延出しており、第２延長部３１ｃは回動軸孔３１ａを中心とする半径方向であって第１延長部３１ｂとは異なる方向に延出している。図１０に示すように、第１延長部３１ｂの延出方向端部（先端部）には、回動軸孔３１ａ側に凹むＵ字状の作用部３１ｄが形成されており、第２延長部３１ｃの延出方向端部（先端部）には、回動軸孔３１ａ側に凹むＵ字状の被作用部３１ｅ（第１被作用部３１ｆ、第２被作用部３１ｇ）が形成されている。なお、被作用部３１ｅは、作用部３１ｄとの距離が近い位置に形成された第１被作用部３１ｆと、作用部３１ｄとの距離が遠い位置に形成された第２被作用部３１ｇとによって構成されている。
【００５１】
この第１伝達部材３１は、開閉部材２１と連動可能に構成され、第２伝達部材３２から作用を受けて開閉部材２１を閉鎖位置と開放位置とで変位させるように機能している。具体的には、図１０〜図１４に示すように、第１伝達部材３１の被作用部３１ｅが、第２伝達部材３２の作用部３２ｃと嵌合状態（遊嵌状態）で連結しており、第２伝達部材３２の往復動（往復回動）に伴う作用部３２ｃの往復動と連動して被作用部３１ｅが回動することで第１伝達部材３１全体が回動動作するようになっている。そして、この第１伝達部材３１は、第２伝達部材３２の回動に応じて、図１１（Ａ）、図１２（Ａ）図１３（Ａ）及び図１４（Ａ）に示すような回動位置（図１１（Ｂ）等に示す位置に対し上方から見て反時計回りに回動した第１回動位置）と、図１１（Ｂ）、図１２（Ｂ）、図１３（Ｂ）及び図１４（Ｂ）に示すような回動位置（図１１（Ａ）等に示す位置に対し上方から見て時計回りに回動した第２回動位置）とで、回動軸孔３１ａを中心として（より詳しくは上下方向の回動軸線Ｇ１（図１０等）を中心として）回動動作するようになっている。
【００５２】
そして、このような第１伝達部材３１の回動動作が開閉部材２１の直進動作に変換されるようになっている。上述したように、開閉部材２１は、前後方向に往復動可能となるように保持されており、第１伝達部材３１は、図１１、図１２のように、自身の回動に伴って開閉部材２１に形成された被作用部２１ｂを前後に往復動させることで、開閉部材２１を前後に往復動させている。具体的には、第１延長部３１ｂがある程度長く構成され、作用部３１ｄが回動軸孔３１ａからある程度遠い位置となっているため、開閉部材２１の回動動作に伴って作用部３１ｄがほぼ前後方向に往復動し、これと嵌合（遊嵌）する被作用部２１ｂも開閉部材２１の回動動作に伴って前後方向に往復動するようになっている。
【００５３】
第２伝達部材３２は、第１伝達部材３１と連動可能に構成され、駆動源４０から駆動力を受けて動作すると共に第１伝達部材３１を変位（回動）させるように機能している。この第２伝達部材３２は、図５及び図６に示すように、上下に対向する一対の壁部（上壁部３２ｐ、下壁部３２ｑ）と、これら上壁部３２ｐ、下壁部３２ｑを連結する周壁部３２ｔと、上壁部３２ｐ、下壁部３２ｑから上方及び下方にそれぞれ突出する回動軸３２ａとを備えている。更に、回動軸３２ａから所定距離隔てた位置において上方に突出するように軸状に構成される作用部３２ｃと、この作用部３２ｃの下方側において、上壁部３２ｐ、下壁部３２ｑを連結するように構成される連結部３２ｍとを備えており、周壁部３２ｔと連結部３２ｍとによって貫通孔である嵌合部３２ｄが形成されている。そして、図１４（Ａ）に示すように、嵌合部３２ｄがプランジャ４２の先端部４２ａと嵌合することでプランジャ４２と第２伝達部材３２とが連動して動作するようになっている。プランジャ４２は、コイル部４１の駆動及び駆動解除に伴って左右方向に直線的に往復運動するようになっており、第２伝達部材３２は、プランジャ４２の変位に応じ、図１１（Ａ）、図１２（Ａ）、図１３（Ａ）及び図１４（Ａ）に示すような回動位置（図１１（Ｂ）等に示す位置に対し上方から見て反時計回りに回動した回動位置）と、図１１（Ｂ）、図１２（Ｂ）、図１３（Ｂ）及び図１４（Ｂ）に示すような回動位置（図１１（Ａ）等に示す位置に対し上方から見て時計回りに回動した回動位置）とで、上下方向に延びる回動軸３２ａを中心として回動運動するようになっている。ここで、「反時計回り」及び「時計回り」とは、それぞれ入賞装置１０の上方から下方に向かって見たときの反時計回り及び時計回りの方向である。この構成では、回動軸３２ａからある程度距離を隔てた前方側に連結部３２ｍが配され、プランジャ４２の先端部４２ａの一方面側に連結部３２ｍが配され、他方面側に周壁部３２ｔが配されるようになっており、プランジャ４２がコイル部４１内に引き込まれるときには先端部４２ａによって連結部３２ｍがコイル部４１寄りに押圧され、これにより第２伝達部材３２が時計回りに回動するようになっている。一方、コイル部４１の通電解除及びばね部材４３の付勢によってプランジャ４２が突出位置に変位するときには、先端部４２ａによって周壁部３２ｔの一端側（連結部３２ｍ側）が押圧され、これにより第２伝達部材３２が反時計回りに回動することになる。
【００５４】
また、第２伝達部材３２には、図５及び図６に示すように、軸状に構成される作用部３２ｃにおいて、下方側から第１伝達部材３１の被作用部３１ｅを支持可能な支持部３２ｅが形成されている。支持部３２ｅは、第２伝達部材３２の作用部３２ｃを中心とする半径方向に延出すると共に、作用部３２ｃの上下方向に沿うように延びる略直方体形状に形成されている。この支持部３２ｅは、作用部３２ｃの補強リブとして機能し、図１３（Ａ）ないし図１３（Ｃ）に示すように、第１伝達部材３１の被作用部３１ｅを下方側から支持可能に構成され、第１伝達部材３１の軸方向のガタつき（傾き等）を抑え、第１伝達部材３１の動作を安定させている。
【００５５】
また、図５、図６、図１０に示すように、第２伝達部材３２には、軸状に構成される作用部３２ｃの外周壁から張り出す構成で第１伝達部材３１の被作用部３１ｅに対して当接可能な規制部３２ｆが形成されている。図１０はロック機構が作用する図であるが、この図に示すように、規制部３２ｆは、作用部３２ｃの外周壁から当該作用部３２ｃの回動方向（中心軸Ｇ２を中心として作用部３２ｃを通る円Ｃ２（図１０）の周方向）に沿った方向に延びると共に円Ｃ２の周方向に沿って移動するように構成されている。一方、第２被作用部３１ｇは、回動軸線Ｇ１を中心として第２被作用部３１ｇを通る円Ｃ１に沿って移動するようになっており、規制部３２ｆの移動方向と第２被作用部３１ｇの移動方向は互いに交差している。そして、開閉部材２１が閉鎖位置にあるときに、規制部３２ｆの大部分が第１被作用部３１ｆの先端部と第２被作用部３１ｇの先端部を結ぶ線よりも外側に配されるようになっている（即ち、規制部３２ｆの大部分が第１被作用部３１ｆと第２被作用部３１ｇとの間のＵ字形状の凹み部分よりも外側に配されるようになっており、特に、規制部３２ｆ付近を押圧する第２被作用部３１ｇよりも半径方向（回動軸線Ｇ１を中心とする半径方向）外側において第２被作用部３１ｇの先端面と対向するように規制部３２ｆが延出形態で配されている）。また、この規制部３２ｆは、作用部３２ｃの外周壁から支持部３２ｅが突出する向きよりもわずかに中心軸Ｇ２から離れる向きに延出し、略直方体形状に形成されている。また、規制部３２ｆは、上端が作用部３２ｃの上端と同程度の高さとなっており、更に、図１０のように、規制部３２ｆにおける第２被作用部３１ｇ側の外壁と作用部３２ｃにおける外周壁とによって断面Ｖ字状の溝が形成されている。
【００５６】
本実施形態の構成では、図１１（Ａ）に示すように、開閉部材２１が閉鎖位置に位置する場合には、規制部３２ｆが、第１伝達部材３１の被作用部３１ｅからわずかに離れた非当接位置となり、図１１（Ｂ）、１１（Ｂ）、１３（Ｂ）に示すように、開閉部材２１が開放位置に位置する場合には、第２伝達部材３２の作用部と同様に、第１伝達部材３１の被作用部３１ｅのＵ字形状部分（即ち、第１被作用部３１ｆと第２被作用部３１ｇとの間の凹み）に収まるように構成されている。
【００５７】
（遊技機用可変入賞装置の開閉動作）
次に、入賞装置１０の開閉動作について説明する。
入賞装置１０は、コイル部４１が通電されていないときには、コイル部４１によるプランジャ４２の吸引作用が生じず、ばね部材４３の付勢によってプランジャ４２が突出位置に維持され、これにより第２伝達部材３２が、図１１（Ａ）及び図１２（Ａ）に示すような回動位置（第３回動位置）で維持されることになる。そして、第２伝達部材３２がこのような回動位置にあるときには、第１伝達部材３１の被作用部３１ｅが第２伝達部材３２の作用部３２ｃに連動して保持されるため、第１伝達部材３１は、図１１（Ａ）及び図１２（Ａ）に示すような回動位置（上述の第１回動位置）で維持されることになる。そして、第１伝達部材３１がこのような回動位置にあるときには、前方側にある第１伝達部材３１の作用部３１ｄに対応する前方位置で開閉部材２１の被作用部２１ｂが保持されるため、開閉部材２１は、図１１（Ａ）、図１２（Ａ）、図１３（Ａ）、図１４（Ａ）に示すように遊技盤２の前方側に大きく突出して誘導口２０を閉鎖する閉鎖位置で維持されることになる。
【００５８】
一方、コイル部４１が通電されると、ばね部材４３の付勢に抗してプランジャ４２がコイル部４１内に引き込まれ、プランジャ４２が没入位置に移動する。このとき、第２伝達部材３２は、回動軸３２ａを中心として回動し、図１１（Ｂ）及び図１２（Ｂ）に示すような回動位置（第４回動位置）で維持されることになる。そして、第２伝達部材３２がこのような回動位置にあるときには、第１伝達部材３１の被作用部３１ｅが第２伝達部材３２の作用部３２ｃに連動して保持されるため、第１伝達部材３１は、図１１（Ｂ）及び図１２（Ｂ）に示すような回動位置（上述の第２回動位置）で維持されることになる。そして、第１伝達部材３１が上記第２回動位置にあるときには、後方側にある第１伝達部材３１の作用部３１ｄに対応する後方位置で開閉部材２１の被作用部２１ｂが保持されるため、開閉部材２１は、図１１（Ｂ）、図１２（Ｂ）、図１３（Ｂ）、図１４（Ｂ）に示すように大部分が遊技盤２の後方側に退避し、誘導口２０を開放する開放位置で維持されることになる。
【００５９】
更に、再びコイル部４１を非通電状態にすると、ばね部材４３の付勢によってプランジャ４２が突出位置に変位し、各構成部材が連動して、第１伝達部材３１は上述の第１回動位置に、第２伝達部材３２は上述の第３回動位置に、開閉部材２１は誘導口２０を閉鎖する閉鎖位置に変位することになる。また、図１１及び図１２に示すように、後ケース体８２の周壁部８２ａの内側には、突起状のリブ８２ｈ,８２ｉ,８２ｊが形成されており、リブ８２ｈは、第１伝達部材３１が第２回動位置に変位したときに第１延長部３１ｂと当接することで、当該第１伝達部材３１がその当接位置を超えて回動することを規制している。リブ８２ｉ,８２ｊは、第２伝達部材３２が第３回動位置に変位したときに延出部３２ｂと当接することで、当該第２伝達部材３２がその当接位置を超えて回動することを規制している。このように、リブ８２ｈ,８２ｉ,８２ｊは、第１伝達部材３１及び第２伝達部材３２の回動を阻止するストッパーとしての機能を果たしている。また、第２伝達部材３２は、回動軸３２ａが後ケース体８２に支持され、回動軸３２ａから延出する延出部３２ｂがリブ８２ｉ,８２ｊによって支持されることとなり、遊技球が開閉部材２１に衝突した場合にその反発などによって、ガタつく（回動）ことがなく、安定させることができる。
【００６０】
（遊技機用可変入賞装置のロック動作）
次に、入賞装置１０のロック動作について説明する。
本実施形態の構成では、上述したように、駆動源４０の駆動力を受けて第２伝達部材３２が動作するときには、第１伝達部材３１及び開閉部材２１の連係動作が許容されて開閉部材２１が開閉するようになっている。例えば、図１１（Ａ）、図１２（Ａ）のように開閉部材２１が閉鎖位置にあるときにコイル部４１が通電されてプランジャ４２が駆動するときには、図１１（Ｂ）、図１２（Ｂ）のように規制部３２ｆが第１伝達部材３１の移動経路上（具体的には、被作用部３１ｅの移動経路上）から退避しつつ作用部３２ｃ（押圧作用部）が第１伝達部材３１を押圧することで、規制部３２ｆが第１伝達部材３１の移動を規制せずに第１伝達部材３１が回動し、その回動動作に連係して開閉部材２１が開放位置へ移動するようになっている。
【００６１】
一方、図１１（Ａ）、図１２（Ａ）のように開閉部材２１が閉鎖位置に位置する時に不正行為等により開閉部材２１を閉鎖位置から開放位置へ移動させようとする外力が働いた場合、図１０、図１１（Ｃ）、図１２（Ｃ）に示すように、開閉部材２１が後方側に移動しようとすることに応じて被作用部２１ｂが後方側に向かおうとし、これに応じて第１伝達部材３１が所定方向（上方側から見て時計回り）に回動しようとする。この時、第１被作用部３１ｆは作用部３２ｃから離間する方向に移動し、その一方で、第２被作用部３１ｇは、作用部３２ｃに接近する方向に移動して作用部３２ｃと当接し、この作用部３２ｃを押圧することになる。
【００６２】
図１０、図１１（Ｃ）、図１２（Ｃ）のように第２被作用部３１ｇが作用部３２ｃを押圧するときには、図１０に示すように、第２被作用部３１ｇの移動経路は円Ｃ１（回動軸線Ｇ１を中心とし、第２被作用部３１ｇを通る円）の方向であり、図１０の状態での第２被作用部３１ｇの移動方向は円Ｃ１における第２被作用部３１ｇでの接線方向（矢印Ｆａの方向）となる。このときの第２被作用部３１ｇによる押圧力（移動経路）は、中心軸Ｇ２を中心とする周方向（矢印Ｆｂの方向）の成分と中心軸Ｇ２を中心とする半径方向の成分とを含むことになる。しかしながら、作用部３２ｃ及び規制部３２ｆは、中心軸Ｇ２を中心として回動するようになっているため、作用部３２ｃが第２被作用部３１ｇによる押圧力を受けたときには、作用部３２ｃ及び規制部３２ｆは中心軸Ｇ２を中心とする周方向（円Ｃ２に沿った方向）のみに移動しようとする。
【００６３】
一方、第２被作用部３１ｇは作用部３２ｃ及び規制部３２ｆの回動中心（中心軸Ｇ２）とは異なる回動軸線Ｇ１を中心として回動するように構成され、規制部３２ｆにおける規制面（第２被作用部３１ｇの先端付近と当接する面）の移動経路（中心軸Ｇ２を中心とし、作用部３２ｃの中心を通る円Ｃ２）と第２被作用部３１ｇの先端部の移動経路（回動軸線Ｇ１を中心とし、当該先端部を通る円Ｃ１）とが交わるようになっている。つまり、第２被作用部３１ｇの先端部は、この先端部が当接する上記規制面の移動方向（矢印Ｆｂの方向）と交差する方向（円Ｃ１における、第２被作用部先端での接線方向、即ち矢印Ｆａの方向）に移動しようとする。その一方で、第２被作用部３１ｇの内壁によって押圧される作用部３２ｃは第２被作用部３１ｇに対して当該第２被作用部３１ｇの内壁に沿って相対移動しようとし、凹部（第１被作用部３１ｆと第２被作用部３１ｇの間の凹部）の奥側に入り込もうとする。しかしながら、このように作用部３２ｃが第２被作用部３１ｇの内壁に沿って凹部奥側に移動しようとするときには、規制部３２ｆは、第２被作用部３１ｇの先端外側に当接し、作用部３２ｃが移動しようとする方向（即ち、上記凹部の奥側の方向）に移動することができないため、規制部３２ｆは、図１０に示すような位置（即ち、第２被作用部３１ｇの先端と当接する位置）において楔状に嵌り込む形態で保持され続ける。即ち、この構成では、中心軸Ｇ２を中心とし、作用部３２ｃの中心を通る円Ｃ２よりも、回動軸線Ｇ１を中心とし、第２被作用部３１ｇを通る円Ｃ１のほうが前方位置にまで及ぶようになっており、第２被作用部３１ｇの移動経路のほうが作用部３２ｃの移動経路（即ち、規制部３２ｆの移動経路）よりも前方位置に構成されている。つまり、規制部３２ｆは、第２被作用部３１ｇによって自身の移動経路（円Ｃ２の経路）よりも外側に押されても自身の移動経路（円Ｃ２の経路）よりも前方位置に移動することができず、このような移動規制によってロックされることになる。そして、このように規制部３２ｆが第２被作用部３１ｇの移動経路上（矢印Ｆａの方向）に位置し続けるため、第２被作用部３１ｇの移動が阻害され、これにより、第１伝達部材３１の回動も阻害されることになる。従って、開閉部材２１は、図１３（Ｃ）、図１４（Ｃ）等に示す所定位置を超えて開放位置側に向かうことがなく、不正開放が確実に阻止される。また、ロック位置としては、図１０に示すように、規制部３２ｆが中心軸Ｇ２の略前方位置となるように形成されているので、規制部３２ｆはほとんど前方へ移動しないことになり、前後方向の動作スペース増大を抑えて効果的にロック機構を形成することができる。また、上下方向で平行に延びる回動軸（回動軸線Ｇ１、中心軸Ｇ２）を有する２つの部材によって、ロック機構を形成することで、伝達機構の拡大化を抑制して筐体内に配置することができる。
【００６４】
[第２実施形態]
次に、第２実施形態について主に図１５〜図１６を参照して説明する。
第２実施形態は、第２伝達部材の構成のみが第１実施形態と異なりそれ以外は第１実施形態と同一である。よって第１実施形態と同一の部分については第１実施形態と同一の符号を付し、詳細な説明は省略する。また、適宜図１〜図１４を参照することとする。例えば、開閉部材が閉鎖位置にあるときの、開閉部材、第１伝達部材、第２伝達部材、及びソレノイドの連係状態を上方側から見た図は図９（Ａ）と同一となっており、開閉部材が開放位置にあるときのそれら連係状態は、図９（Ａ）と同一となっている。
【００６５】
第２実施形態で用いられる第２伝達部材２３２は、被規制部３２ｓが設けられ、プランジャ４２と第２伝達部材２３２との関係でロック機構が構成される点が第１実施形態と異なっており、それ以外は第１実施形態で用いられる第２伝達部材３２と同一である。よって、第２伝達部材２３２において第１実施形態の第２伝達部材３２と同様の部分については第１実施形態と同一の符号を付し、詳細な説明を省略する。
なお、第２実施形態における以下の代表例では、第１実施形態の特徴（第１実施形態のロック機構等）を全て含み、更に被規制部３２ｓ等を要素とするロック機構を併用しているが、第１実施形態のロック機構（規制部３２ｆ等）を省略してもよい。
【００６６】
第２実施形態で用いられる第２伝達部材２３２も、第１実施形態の第２伝達部材３２と同様の保持構造となっており、筐体８０（図５、図６等）内において上下方向に沿った中心軸Ｇ２回りに回動可能に保持され、駆動源４０から駆動力を受けて動作すると共に第１伝達部材３１を変位（回動）させるように機能している。この第２伝達部材３２も、上下に対向する一対の壁部（上壁部３２ｐ、下壁部３２ｑ）と、これら上壁部３２ｐ、下壁部３２ｑを連結する周壁部３２ｔと、上壁部３２ｐ、下壁部３２ｑから上方及び下方にそれぞれ突出する回動軸３２ａとを備えている。更に、回動軸３２ａから所定距離隔てた位置において上方に突出するように軸状に構成される作用部３２ｃ（作用部３２ｃは、押圧作用部の一例に相当）と、この作用部３２ｃの下方側において、上壁部３２ｐ、下壁部３２ｑを連結するように構成される連結部３２ｍとを備えており、周壁部３２ｔと連結部３２ｍとによって貫通孔である嵌合部３２ｄ（図１６（Ａ））が形成されている。そして、この構成でも、図１６（Ａ）に示すように、嵌合部３２ｄがプランジャ４２の先端部４２ａと嵌合することでプランジャ４２と第２伝達部材３２とが連動して動作するようになっている。
【００６７】
この構成では、図１６のように、回動軸３２ａからある程度距離を隔てた前方側に連結部３２ｍが配され、フランジ状に構成されるプランジャ４２の先端部４２ａ（先端部４２ａは「規制部」の一例に相当）の一方面側に対向する形態で連結部３２ｍが配され、他方面側に対向する形態で周壁部３２ｔが配されるようになっている。つまり左右方向に往復動する先端部４２ａの左右方向一方側に対向して連結部３２ｍが配され、左右方向他方側に対向して周壁部３２ｔが板状に配されている。そして、これら連結部３２ｍ及び周壁部３２ｔによって前方側に開口する形態で嵌合部３２ｄが形成され、この嵌合部３２ｄの中に一部（前端側の部分）を挿入した形態で先端部４２ａ（フランジ部）が配されている。更に、周壁部３２ｔの後端部から折れ曲がる形態で板状の被規制部３２ｓが設けられており、この被規制部３２ｓは、上述の上壁部３２ｐと下壁部３２ｑとの間を連結する形態で配されると共に先端部４２ａ（フランジ部）よりも左右方向他端側（コイル部４１とは反対側）で周壁部３２ｔに連結されており、この連結位置から左右方向一端側（コイル部４１側）に延びている。そして、図１６（Ａ）のように、少なくともプランジャ４２が突出位置にあるときには、先端部４２ａの後方側に対向配置されるようになっている。
【００６８】
そして、プランジャ４２は、コイル部４１の駆動及び駆動解除に伴って左右方向に直線的に往復運動するようになっており、図１６（Ａ）のように開閉部材２１が閉鎖位置にある状態で、図１６（Ｂ）、図１６（Ｃ）のようにプランジャ４２がコイル部４１内に引き込まれるときには、先端部４２ａによって連結部３２ｍがコイル部４１寄りに押圧され、これにより第２伝達部材３２が中心軸Ｇ２を中心として時計回りに回動するようになっている。このとき、まず図１６（Ｂ）のようにプランジャ４２の先端部４２ａ（規制部）が被規制部３２ｓの移動経路上から退避し、その後、連結部３２ｍ（連結部３２ｍは被押圧部の一例に相当）を押圧することで、被規制部３２ｓがプランジャ４２に阻害されずに（当接せずに）移動すると共に第２伝達部材３２が回動し、その回動に連係して開閉部材２１が開放位置へ移動するようになっている（図１６（Ｃ）参照）。また、図１６（Ｃ）の状態からコイル部４１の通電解除がなされたときには、ばね部材４３（図５等参照、図１６では図示略）の付勢によってプランジャ４２が突出位置に変位し、このとき先端部４２ａによって周壁部３２ｔの一端側（連結部３２ｍ側）が押圧され、これにより第２伝達部材３２が反時計回りに回動して、図１６（Ａ）の位置に戻るようになっている。
【００６９】
一方、図１６（Ａ）のように開閉部材２１が閉鎖位置にある状態で当該開閉部材２１を開放位置に変位させようとする外力が加えられたときには、開閉部材２１及び第１伝達部材３１と連係しようとする第２伝達部材２３２において被規制部３２ｓが左右方向と交差する方向（図１６の例では矢印Ｆｃに示す後方側）に向かうと共に突出位置にあるプランジャ４２の先端部４２ａ（規制部）と当接することで第２伝達部材２３２の回動動作及び開閉部材２１の連係動作が規制され、開閉部材２１の開放が阻止されるようになっている。具体的には、図１６（Ａ）のような状態（開閉部材２１が閉鎖位置にある状態）のときに、被規制部３２ｓの前方側に隣接してプランジャ４２の先端部４２ａ（規制部）が配されるようになっており、このとき、中心軸Ｇ２を中心とする被規制部３２ｓの移動経路上（図１６（Ａ）の円Ｃ３（中心軸Ｇ２を中心として被規制部３２ｓを通る円）に示す回動経路上）にその先端部４２ａが位置保持されるようになっている。そして、図１６（Ａ）の状態からの被規制部３２ｓの回動経路は、ほぼ前方側に移動する経路（具体的には、円Ｃ３の接線方向となる矢印Ｆｃの方向）となっているため、当該開閉部材２１を開放位置に変位させようとする外力が加えられたときには被規制部３２ｓがプランジャ４２の移動方向に対してほぼ直交する方向に向かい、先端部４２ａに当接して移動が阻害されることになる。そして、第２伝達部材２３２の回動が許容されないように規制されるため、第１伝達部材３１の回動も許容されず、開閉部材２１の変位も規制されて開放が阻止されることになる。
【００７０】
[第３実施形態]
次に、第３実施形態について主に図１７を参照して説明する。
第３実施形態は、開閉部材の形状を第１実施形態のものと異ならせ、開閉部材と第１伝達部材又は第２伝達部材との関係でロック機構が構成される点が第１実施形態と異なりそれ以外は第１実施形態と同一である。よって第１実施形態と同一の部分については第１実施形態と同一の符号を付し、詳細な説明は省略する。また、適宜図１〜図１４を参照することとする。
なお、第３実施形態における以下の代表例では、第１実施形態のロック機構（規制部３２ｆ等）や第２実施形態のロック機構（被規制部３２ｓ等）を省略しているが、これらのロック機構を併用してもよい。
【００７１】
第３実施形態で用いられる開閉部材３２１は、規制部２１ｆが設けられた点のみが第１実施形態と異なっており、それ以外は第１実施形態で用いられる開閉部材２１と同一である。よって、開閉部材３２１において第１実施形態の開閉部材２１と同様の部分については第１実施形態と同一の符号を付し、詳細な説明を省略する。
【００７２】
本実施形態でも、第１伝達部材３１は、閉鎖部２１ａ（図５等参照）の下面側に配置されており、閉鎖部２１ａにおける第１伝達部材３１側の面には、被作用部２１ｂに加え、下方側に突出する形態で規制部２１ｆが形成されている。この規制部２１ｆは、図１７（Ａ）のように開閉部材３２１が閉鎖位置にあるときに第２伝達部材３２の作用部３２ｃの前方側に隣接するようになっている。
【００７３】
そして、図１７（Ａ）のように開閉部材３２１が閉鎖位置にある状態で駆動源４０による駆動力を受けて第２伝達部材３２が変位したときには、第２伝達部材３２及び第１伝達部材３１における規制部２１ｆに隣接する部分が左右方向に移動し、図１７（Ｂ）のように規制部２１ｆの移動経路上から第２伝達部材３２及び第１伝達部材３１が退避した上で、破線２１ｆ’から実線２１ｆのように規制部２１ｆが移動するようになる。このように、駆動源４０によって駆動される通常動作時には、規制部２１ｆの移動が第２伝達部材３２及び第１伝達部材３１によって阻害されないため、開閉部材３２１は問題なく開放位置へ移動することができる。
【００７４】
一方、図１７（Ａ）のように開閉部材３２１が閉鎖位置にある状態で開閉部材３２１を開放位置に変位させようとする外力が加えられた場合には、図１７（Ａ）のように第２伝達部材３２が規制部２１ｆの移動経路上（即ち、後方側）に位置した状態のまま開閉部材３２１が後方に移動しようとするため、規制部２１ｆが作用部３２ｃに当接し、規制部２１ｆの移動が阻害されることになる。従って、規制部２１ｆが所定位置よりも後方に移動することなく保持され、開閉部材２２１の開放が阻止される。
【００７５】
[他の実施形態]
上記実施形態では、第２伝達部材が上下方向の中心軸を中心として回動する構成を例示したが、第２伝達部材は、左右方向に沿ってスライド可能に保持されていてもよい。図１８は、このような構成を例示するものであり、この構成では、第２伝達部材以外の構成は第１実施形態と同様であるため、適宜、図１〜図１４を参照し、詳細な説明は省略する。この構成では、第２伝達部材４３２が筐体８０と同様の筐体により左右方向にスライド可能となるように保持されており、図１８のように開閉部材２１（図５等参照）が閉鎖位置にあるときに駆動源４０においてプランジャ（上記実施形態と同様のプランジャであり、図１８では図示略）が引き込まれたときには、矢印Ｆ１のように作用部４３２ｃがコイル部４１側に移動して第１被作用部３１ｆをコイル部４１側に押圧し、これに伴い第１伝達部材３１が時計回りに回動するようになっている。一方、図１８のように開閉部材２１が閉鎖位置にあるときに開閉部材２１を開放位置に移動させようとする外力が加えられた場合には、これに伴い第１伝達部材３１の第２被作用部３１ｇが矢印Ｆ２の方向に移動しようとするが、この移動が作用部４３２ｃによって阻害されるため、第１伝達部材３１の回動が規制され、開閉部材２１の開放が阻止される。
【００７６】
上記実施形態では、第１伝達部材３１等が開閉部材の下方に位置する構成を例示したが、開閉部材の上面側に被作用部を形成するような構成では第１伝達部材、第２伝達部材、駆動源などを開閉部材の上方側に配置する構成とすることができる。また、開閉部材の左右端部側に被作用部を形成するような構成では、第１伝達部材、第２伝達部材、駆動源などを開閉部材の側方寄りに配置する構成とすることができる。
【符号の説明】
【００７７】
１…遊技機
２…遊技盤
２ｂ…前面（盤面）
２ｃ…後面
１０…遊技機用可変入賞装置
２０…誘導口
２１，３２１…開閉部材
２１ａ…閉鎖部
２１ｂ…被作用部（被開閉作用部）
２１ｆ…規制部
３０…伝達機構
３１…第１伝達部材
３１ｂ…第１延長部
３１ｃ…第２延長部
３１ｄ…作用部
３１ｅ…被作用部
３２，２３２，４３２…第２伝達部材
３２ｃ…作用部（押圧作用部）
３２ｆ…規制部
３２ｔ…周壁部
４０…駆動源
４１…コイル部
４２…プランジャ
４２ａ…先端部（規制部）
４３…ばね部材
８０…筐体
４３２ｃ…作用部（押圧作用部、規制部）
Ｂ…遊技球
Ｇ１…回動軸線
Ｇ２…中心軸
【図１】
0005868719.tif 000002
【図２】
0005868719.tif 000003
【図３】
0005868719.tif 000004
【図４】
0005868719.tif 000005
【図５】
0005868719.tif 000006
【図６】
0005868719.tif 000007
【図７】
0005868719.tif 000008
【図８】
0005868719.tif 000009
【図９】
0005868719.tif 000010
【図１０】
0005868719.tif 000011
【図１１】
0005868719.tif 000012
【図１２】
0005868719.tif 000013
【図１３】
0005868719.tif 000014
【図１４】
0005868719.tif 000015
【図１５】
0005868719.tif 000016
【図１６】
0005868719.tif 000017
【図１７】
0005868719.tif 000018
【図１８】
0005868719.tif 000019